(57)【要約】  本開示は、より良好なユーザ体験を提供することができるようにする再生装置および再生方法、並びにプログラムに関する。再生処理部は、複数種類の動画像コンテンツを、それぞれの動画像コンテンツが対応している再生モードで再生する処理を行う。ユーザインタフェース表示処理部は、再生中の動画像コンテンツの種類または再生モードの少なくとも一方を表すユーザインタフェースを表示する処理を行う。本技術は、例えば、２Ｄ動画像コンテンツ、全天球動画像コンテンツ、および自由視点動画像コンテンツを再生可能な再生装置に適用できる。
2018066381.tif 000002
【特許請求の範囲】
【請求項１】
複数種類の動画像コンテンツを、それぞれの前記動画像コンテンツが対応している再生モードで再生する処理を行う再生処理部と、
再生中の前記動画像コンテンツの種類または再生モードの少なくとも一方を表すユーザインタフェースを表示する処理を行う表示処理部と
を備える再生装置。
【請求項２】
前記表示処理部は、前記動画像コンテンツの種類と再生モードとを同時に表示する
請求項１に記載の再生装置。
【請求項３】
前記表示処理部は、再生中の前記動画像コンテンツの全長のうちの再生箇所を表すシークバーを利用して、前記動画像コンテンツの種類ごとに、それぞれの種類の再生時間を表示する
請求項１に記載の再生装置。
【請求項４】
前記表示処理部は、前記動画像コンテンツの種類ごとに並列的に、それぞれの種類の前記動画像コンテンツに対応する前記シークバーを表示する
請求項３に記載の再生装置。
【請求項５】
前記シークバーに対するユーザの操作に従って、再生の対象とする前記動画像コンテンツの種類が選択される
請求項４に記載の再生装置。
【請求項６】
前記表示処理部は、前記再生装置が再生する機能を備えていない種類の前記動画像コンテンツに対応するシークバーをグレーアウトで表示する
請求項４に記載の再生装置。
【請求項７】
前記表示処理部は、前記動画像コンテンツの再生を一時停止する操作が行われた場合、前記動画像コンテンツの種類または再生モードを表すユーザインタフェースに対して、一時停止状態を表すユーザインタフェースを表示する
請求項１に記載の再生装置。
【請求項８】
前記表示処理部は、ユーザの視線方向または視点位置を表すユーザインタフェースを表示する
請求項１に記載の再生装置。
【請求項９】
複数種類の動画像コンテンツを、それぞれの前記動画像コンテンツが対応している再生モードで再生する処理を行い、
再生中の前記動画像コンテンツの種類または再生モードの少なくとも一方を表すユーザインタフェースを表示する処理を行う
ステップを含む再生方法。
【請求項１０】
複数種類の動画像コンテンツを、それぞれの前記動画像コンテンツが対応している再生モードで再生する処理を行い、
再生中の前記動画像コンテンツの種類または再生モードの少なくとも一方を表すユーザインタフェースを表示する処理を行う
ステップを含む再生処理をコンピュータに実行させるプログラム。
【発明の詳細な説明】
【技術分野】
【０００１】
本開示は、再生装置および再生方法、並びにプログラムに関し、特に、より良好なユーザ体験を提供することができるようにした再生装置および再生方法、並びにプログラムに関する。
【背景技術】
【０００２】
一般的に、ユーザにより動画像をアップロード可能な配信サイトにおいてＵＧＣ（User-Generated Contents）などの動画像コンテンツが配信されたり、商用の配信サイトにおいて映画やドラマなどの動画像コンテンツが無料または有料で配信されている。従来、これらの動画像コンテンツとしては、コンテンツ生成時のカメラワークによって視線方向および視点位置が固定されている２Ｄ動画像コンテンツが主流である。【０００３】
これに対し、近年、視線方向を自由に変更することができる動画像コンテンツ（以下、全天球動画像コンテンツと称する）の作成が可能となっている。全天球動画像コンテンツは、例えば、ヘッドマウントディスプレイを利用して、顔の向きに合わせて視線方向を変更することができるため、より臨場感が高く、今後の普及が期待されている。【０００４】
さらに、今後、全天球動画像コンテンツと同様に視線方向を変更することができ、かつ、動画像により再現されている空間内を自由に移動することができる動画像コンテンツ（以下、自由視点動画像コンテンツと称する）の普及が想定される。【０００５】
ところで、２Ｄ動画像コンテンツに対するユーザの操作として、例えば、ビデオテープを利用して動画像が提供されていたときには、基本的な再生や停止などが行われていた。その後、例えば、ディスクを利用して動画像が提供されるようになったときには、シークの利便性が向上したことより、シークバーなどのユーザインタフェースが新たに提案され、自由な再生時刻から再生の開始を行う操作が可能となった。【０００６】
また、従来、全天球動画像コンテンツに対するユーザインタフェースとして、基本的には、２Ｄ動画像コンテンツにおいて利用されているユーザインタフェースが継続して利用されている。【０００７】
例えば、特許文献１には、２Ｄコンテンツとしてのデータ部分が編集された３Ｄコンテンツを、正しく表示することができる３Ｄ再生装置が開示されている。
【先行技術文献】
【特許文献】
【０００８】
【特許文献１】特開２０１３−１１８５３８号公報
【発明の概要】
【発明が解決しようとする課題】
【０００９】
ところで、２Ｄ動画像コンテンツにおいて利用されるユーザインタフェースを全天球動画像コンテンツや自由視点動画像コンテンツなどに適用しただけでは、それらを利用する際にユーザが不便に感じることがあった。そのため、従来、充分に良好なユーザ体験を提供することができていない状況となっていた。【００１０】
本開示は、このような状況に鑑みてなされたものであり、より良好なユーザ体験を提供することができるようにするものである。
【課題を解決するための手段】
【００１１】
本開示の一側面の再生装置は、複数種類の動画像コンテンツを、それぞれの前記動画像コンテンツが対応している再生モードで再生する処理を行う再生処理部と、再生中の前記動画像コンテンツの種類または再生モードの少なくとも一方を表すユーザインタフェースを表示する処理を行う表示処理部とを備える。【００１２】
本開示の一側面の再生方法またはプログラムは、複数種類の動画像コンテンツを、それぞれの前記動画像コンテンツが対応している再生モードで再生する処理を行い、再生中の前記動画像コンテンツの種類または再生モードの少なくとも一方を表すユーザインタフェースを表示する処理を行うステップを含む。【００１３】
本開示の一側面においては、複数種類の動画像コンテンツを、それぞれの動画像コンテンツが対応している再生モードで再生する処理が行われ、再生中の動画像コンテンツの種類または再生モードの少なくとも一方を表すユーザインタフェースを表示する処理が行われる。
【発明の効果】
【００１４】
本開示の一側面によれば、より良好なユーザ体験を提供することができる。
【図面の簡単な説明】
【００１５】
【図１】本技術を適用した再生装置の一実施の形態の構成例を示すブロック図である。
【図２】ユーザインタフェースの一例を示す図である。
【図３】再生アイコンについて説明する図である。
【図４】再生アイコンが備える機能について説明する図である。
【図５】シークバーについて説明する図である。
【図６】再生アイコンの変形例について説明する図である。
【図７】ユーザインタフェースの表示処理を説明するフローチャートである。
【図８】本技術を適用したコンピュータの一実施の形態の構成例を示すブロック図である。
【発明を実施するための形態】
【００１６】
以下、本技術を適用した具体的な実施の形態について、図面を参照しながら詳細に説明する。
【００１７】
＜再生装置の構成例＞
【００１８】
図１は、本技術を適用した再生装置の一実施の形態の構成例を示すブロック図である。
【００１９】
図１に示すように、再生装置１１は、操作部１２および表示部１３を接続して利用することができ、操作信号取得部２１、コンテンツ記録部２２、再生処理部２３、およびユーザインタフェース表示処理部２４を備えて構成される。
【００２０】
操作部１２は、例えば、リモートコントローラなどのように有線または無線により、ユーザによる操作に従った各種の操作信号を再生装置１１に供給する。例えば、操作部１２は、ユーザによる操作に従って、動画像コンテンツの再生に関する制御を行う操作信号や、後述するような視線方向または視点位置の制御を行う操作信号などを再生装置１１に供給することができる。
【００２１】
表示部１３は、再生装置１１により再生される動画像コンテンツそのものを表示したり、その動画像コンテンツに重畳させて、後述する図２に示すような各種のユーザインタフェースを表示する。
【００２２】
操作信号取得部２１は、操作部１２から供給される操作信号を取得して、再生処理部２３に供給する。
【００２３】
コンテンツ記録部２２には、再生装置１１において再生可能な動画像コンテンツとして、例えば、上述したような２Ｄ動画像コンテンツ、全天球動画像コンテンツ、および自由視点動画像コンテンツが記録されている。
【００２４】
再生処理部２３は、コンテンツ記録部２２から動画像コンテンツを読み出してデコードし、その動画像コンテンツを再生する処理を行って、表示部１３に動画像コンテンツを供給して表示させる。
【００２５】
例えば、再生処理部２３は、コンテンツ記録部２２から２Ｄ動画像コンテンツを読み出して、空間的な移動や見回しができずに特定の視点位置から特定の視線方向のみを見ることになる再生モードである２Ｄ再生モードで再生を行う。また、再生処理部２３は、コンテンツ記録部２２から全天球動画像コンテンツを読み出して、空間的な移動はできないが特定の視点位置から任意の視線方向で見回すことができる再生モードである全天球再生モードで再生を行う。また、再生処理部２３は、コンテンツ記録部２２から自由視点動画像コンテンツを読み出して、空間的な移動が可能であって様々な視点位置から任意の視線方向で見回すことができる再生モードである自由視点再生モードで再生を行う。
【００２６】
また、再生処理部２３は、再生中の動画像コンテンツに関する情報（以下、再生中コンテンツ情報と称する）をユーザインタフェース表示処理部２４に供給する。例えば、再生中コンテンツ情報には、動画像コンテンツの再生モードを示す情報や、動画像コンテンツの種類を示す情報、動画像コンテンツの再生時刻を示す情報などが含まれる。
【００２７】
ユーザインタフェース表示処理部２４は、再生処理部２３から供給される再生中コンテンツ情報に基づいて、再生中の動画像コンテンツの種類や再生モードなどを提示するアイコンや、再生中の動画像コンテンツの再生時刻などを提示するシークバーなどのユーザインタフェースを生成し、表示部１３に供給して表示させる。
【００２８】
このように構成される再生装置１１は、例えば、再生中の動画像コンテンツの種類や再生モードを示すアイコンを表示することができ、より良好なユーザ体験を提供することができる。即ち、ユーザインタフェース表示処理部２４により表示部１３に表示されているアイコンにより、ユーザは、再生中の動画像コンテンツが、２Ｄ動画像コンテンツ、全天球動画像コンテンツ、および自由視点動画像コンテンツのいずれであるかを認識することができる。同様に、ユーザは、再生中の動画像コンテンツの再生モードが、２Ｄ再生モード、全天球再生モード、自由視点再生モードのいずれであるかを認識することができる。
【００２９】
従って、ユーザは、再生中の動画像コンテンツで、見回しが可能であるかということや、移動が可能であるかということなどを容易に把握することができるので、それらの操作をスムーズに行うことができ、より良好なユーザ体験を得ることができる。
【００３０】
＜ユーザインタフェースの表示例＞
【００３１】
図２は、表示部１３に表示されるユーザインタフェースの一例を示す図である。
【００３２】
例えば、表示部１３に表示される再生画面３１の全体に、再生処理部２３により再生される動画像コンテンツが表示される。そして、再生画面３１では、図２に示すように、再生画面３１の右上隅にアイコン表示部４１が設けられるとともに、再生画面３１の下側にシークバー表示部４２が設けられる。
【００３３】
アイコン表示部４１には、再生処理部２３により再生されている動画像コンテンツの再生モードを表す再生モードアイコンが表示される。図２の例では、再生処理部２３が全天球再生モードで動画像コンテンツを再生していることを示す全天球再生モードアイコンが表示されている。例えば、アイコン表示部４１には、ユーザインタフェースを表示させることを指示する操作が行われたときに、これらのアイコンが表示される。
【００３４】
シークバー表示部４２には、動画像コンテンツの全体の再生時間（図２の例では、0：30）を表すバー４３、および、動画像コンテンツの再生画面３１に表示されているフレームの再生時刻に対応する位置を表すスライダ４４により構成されるシークバーが表示される。例えば、シークバー表示部４２には、ユーザインタフェースを表示させることを指示する操作や、早送りまたは早戻しを指示する操作などが行われたときに、シークバーが表示される。
【００３５】
＜再生アイコンの表示例＞
【００３６】
図３を参照して、アイコン表示部４１に表示される再生アイコンについて説明する。
【００３７】
図３のＡには、再生装置１１が２Ｄ再生モードで動画像コンテンツを再生しているときに、再生画面３１のアイコン表示部４１に表示される２Ｄ再生モードアイコンの一例が示されている。例えば、２Ｄ再生モードアイコンは、再生画面が二次元的な平面であるという２Ｄ動画像コンテンツの特徴を表している。
【００３８】
図３のＢには、再生装置１１が全天球再生モードで動画像コンテンツを再生しているときに、再生画面３１のアイコン表示部４１に表示される全天球再生モードアイコンの一例が示されている。例えば、全天球再生モードアイコンは、動画像により再生される全天球を表す球形状の中央から外側に向かう矢印マークにより任意の視線方向の動画像を見ているという全天球動画像コンテンツの特徴を表している。
【００３９】
図３のＣには、再生装置１１が自由視点再生モードで動画像コンテンツを再生しているときに、再生画面３１のアイコン表示部４１に表示される自由視点再生モードアイコンが示されている。例えば、自由視点再生モードアイコンは、動画像により再現されている空間内で移動することができる範囲を表す平面の上に配置される人型マークおよび矢印マークにより、任意の視点位置および視点方向の動画像を見ているという自由視点動画像コンテンツの特徴を表している。
【００４０】
このように、ユーザインタフェース表示処理部２４は、再生中の動画像コンテンツの特徴を表す再生アイコンを生成して表示部１３に供給し、再生画面３１のアイコン表示部４１に表示させることができる。
【００４１】
図４を参照して、全天球再生モードアイコンおよび自由視点再生モードアイコンが備える機能について説明する。
【００４２】
例えば、全天球再生モードアイコン（図３のＢ）は矢印マークを有する構成となっており、全天球再生モードアイコンは、この矢印マークを利用して、視線方向を表す機能を備えることができる。
【００４３】
図４のＡには、視線方向を表す機能を備えた全天球再生モードアイコンの一例が示されている。ユーザインタフェース表示処理部２４は、操作信号取得部２１が取得した操作信号に基づいたユーザの視線方向に従って、全天球再生モードアイコンに表示される矢印マークの向きを変更する。
【００４４】
例えば、図４のＡの左側に示すような全天球再生モードアイコンの視線方向のときに、ユーザが上を向くような操作を行ったとする。この操作に同期して、ユーザインタフェース表示処理部２４は、図４のＡの右側に示すような全天球再生モードアイコンの視線方向となるように、全天球再生モードアイコンに表示される矢印マークの向きを変更する。
【００４５】
また、自由視点再生モードアイコン（図３のＣ）は矢印マークおよび人型マークを有する構成となっており、全天球再生モードアイコンは、この矢印マークおよび人型マークを利用して、視線方向および視点位置を表す機能を備えることができる。
【００４６】
図４のＢには、視線方向および視点位置を表す機能を備えた自由視点再生モードアイコンの一例が示されている。ユーザインタフェース表示処理部２４は、操作信号取得部２１が取得した操作信号に基づいたユーザの視線方向および視点位置に従い、自由視点動画像の全体の位置関係に合わせて、自由視点再生モードアイコンに表示される矢印マークの向きおよび人型マークの位置を変更する。
【００４７】
例えば、図４のＢの左側に示す自由視点再生モードアイコンのように視点位置が自由視点動画像の中央であるときに、ユーザが視点位置を自由視点動画像の端部に移動するとともに左側を向くような操作を行ったとする。この操作に同期して、ユーザインタフェース表示処理部２４は、図４のＢの右側に示すような自由視点再生モードアイコンの視点位置および視線方向となるように、自由視点再生モードアイコンに表示される矢印マークの向きおよび人型マークの位置を変更する。
【００４８】
このように、アイコン表示部４１は、再生装置１１が全天球再生モードで動画像コンテンツを再生しているとき、全天球再生モードアイコンにより視線方向を表すことができる。同様に、アイコン表示部４１は、再生装置１１が自由視点再生モードで動画像コンテンツを再生しているとき、自由視点再生モードアイコンにより視線方向および視点位置を表すことができる。
【００４９】
＜シークバーの表示例＞
【００５０】
図５を参照して、シークバー表示部４２に表示されるシークバーについて説明する。
【００５１】
例えば、再生装置１１により再生される動画像コンテンツには、２Ｄ動画像コンテンツ、全天球動画像コンテンツ、および自由視点動画像コンテンツそれぞれが独立して構成されているものの他、再生時間ごとに、それらが混在して構成されるものがある。そこで、シークバー表示部４２に表示されるシークバーは、２Ｄ動画像コンテンツ、全天球動画像コンテンツ、および自由視点動画像コンテンツが混在した動画像コンテンツにおいて、それぞれの再生時間を区別する機能を備えることができる。
【００５２】
図５のＡには、バー４３の太さにより、２Ｄ動画像コンテンツ、全天球動画像コンテンツ、および自由視点動画像コンテンツの再生時間を区別することができるシークバーの例が示されている。図５のＡの例では、最も細いバー４３ａにより２Ｄ動画像コンテンツが再生可能な時間が表され、中間の太さのバー４３ｂにより全天球動画像コンテンツが再生可能な時間が表され、最も太いバー４３ｃにより自由視点動画像コンテンツが再生可能な時間が表されている。
【００５３】
図５のＢには、バー４３の配置により、２Ｄ動画像コンテンツ、全天球動画像コンテンツ、および自由視点動画像コンテンツの再生時間を区別することができるシークバーの例が示されている。図５のＢの例では、上段に配置されるバー４３ａにより２Ｄ動画像コンテンツが再生可能な時間が表され、中段に配置されるバー４３ｂにより全天球動画像コンテンツが再生可能な時間が表され、下段に配置されるバー４３ｃにより自由視点動画像コンテンツが再生可能な時間が表されている。
【００５４】
このように、バー４３の配置（動画像コンテンツの種類ごとに並列的に配置すること）により区別する手法では、同一の再生時間において、複数の種類の動画像コンテンツが存在している場合にも適用することができる。
【００５５】
即ち、図５のＣに示すように、２Ｄ動画像コンテンツが再生可能な時間を表す上段に配置されるバー４３ａは、最初から最後までの時間において、２Ｄ動画像コンテンツが再生可能であることを示している。そして、バー４３ａと並行して、中段に配置されるバー４３ｂ、および、下段に配置されるバー４３ｃが表示されており、それぞれ重複する時間には、どちらかの動画像コンテンツが選択的に再生可能であることを示している。
【００５６】
また、図５のＣに示すシークバーでは、スライダ４４の配置によって、複数の再生可能な動画像コンテンツのうち、どの動画像コンテンツが再生されているかを示すことができる。即ち、図５のＣの例では、自由視点動画像コンテンツが再生可能な時間を示すバー４３ｃにスライダ４４が配置されており、自由視点動画像コンテンツが再生されていることを示している。
【００５７】
さらに、このシークバーでは、例えば、スライダ４４を左右に移動させる操作を行うことで再生時間を変更することができるユーザインタフェースと同様に、スライダ４４を上下に移動させる操作を行うこととで、再生する動画像コンテンツを選択することができる。図５のＣにおける表示位置のスライダ４４に対して上下方向に移動させる操作を行うことで、２Ｄ動画像コンテンツまたは自由視点動画像コンテンツの再生を選択することができる。
【００５８】
なお、例えば、再生装置１１が自由視点動画像コンテンツを再生する機能を備えていない場合には、図５のＤに示すように、自由視点動画像コンテンツが再生可能な時間を示すバー４３ｃの表示をグレーアウトすることができる。即ち、図５のＤに示す例では、再生装置１１が２Ｄ動画像コンテンツおよび全天球動画像コンテンツを再生する機能を備えていることが表されている。これにより、シークバーによって、再生装置１１が備える機能を示すことができる。
【００５９】
このように、ユーザインタフェース表示処理部２４が、シークバーの表示を制御することで、２Ｄ動画像コンテンツ、全天球動画像コンテンツ、および自由視点動画像コンテンツの再生時間を区別すること、どの動画像コンテンツを再生させるかを選択することができる。
【００６０】
なお、例えば、動画像コンテンツが混在して構成されていない場合にも、同様に、バー４３の太さや配置で、動画像コンテンツの種類を示すことができる。また、バー４３の太さや配置の他、色や模様などによって動画像コンテンツの種類を示すようにしてもよい。
【００６１】
図６を参照して、再生アイコンの変形例について説明する。
【００６２】
図６のＡには、再生アイコンを利用して、動画像コンテンツの種類および再生モードを同時に表すユーザインタフェースの一例が示されている。
【００６３】
例えば、再生処理部２３は、全天球動画像コンテンツを全天球再生モードで再生する他、２Ｄ動画像コンテンツと同様に、視線方向および視点位置を固定した状態として２Ｄ再生モードで再生することができる。同様に、再生処理部２３は、自由視点動画像コンテンツを自由視点再生モードで再生する他、２Ｄ動画像コンテンツと同様に、視線方向および視点位置を固定した状態として２Ｄ再生モードで再生したり、全天球動画像コンテンツと同様に、視点位置を固定した状態として全天球再生モードで再生したりすることができる。
【００６４】
そこで、図２のアイコン表示部４１に、動画像コンテンツの種類を示すアイコンと、動画像コンテンツの再生モードを示すアイコンとを同時に表示して、それらをユーザに認識させることができる。
【００６５】
例えば、図６のＡの例では、動画像コンテンツの再生モードを示すアイコンが左上に表示され、動画像コンテンツの種類を示すアイコンが右下に表示されている。即ち、図６のＡでは、自由視点動画像コンテンツが全天球再生モードで再生されていることを表している。なお、このようなアイコンの表示は、例えば、ユーザインタフェースを表示させることを指示する操作が行われたときに行われる。
【００６６】
図６のＢおよび図６のＣには、再生アイコンを利用して、一時停止状態を表すユーザインタフェースの一例が示されている。
【００６７】
例えば、自由視点動画像コンテンツに対して時間的に一時停止をする操作が行われた場合、その他に、空間的移動に対する一時停止、および、見る方向の一時停止が可能になる。これらの組み合わせとしては、完全一時停止（時間の一時停止、移動禁止、見る方向固定）、時間と移動の一時停止（見る方向のみ変更が可能）、および、時間のみの一時停止（移動、見る方向の変更可能）の３つのパターンが想定される。
【００６８】
そこで、図６のＢには、左上の一時停止マークを表示することで、見る方向のみを変えることができ、時間的な一時停止状態を表すアイコンの例が示されている。
【００６９】
また、図６のＣには、全天球動画像コンテンツを示すアイコンと、自由視点動画像コンテンツを示すアイコンとを並べて表示し、どの操作が一時停止状態であるかを明示的に示すアイコンの例が示されている。即ち、左上の一時停止マークを表示することで時間的な一時停止状態を表し、自由視点動画像コンテンツを示すアイコンに対して×マークを付けることで、移動も停止状態であることが示されている。このようなユーザインタフェースにより、図６のＣの表示は、図６のＢの表示よりも、直観的に理解し易くなっている。
【００７０】
また、再生装置１１は、図６のＣに示すようなアイコンを表示した状態で、いずれかのアイコンを選択して、例えば、移動を可能に変更する機能や、見回しを禁止にする機能を備えることができる。
【００７１】
なお、例えば、再生装置１１が、自由視点動画像コンテンツを再生する機能を備えていない場合、自由視点動画像コンテンツを表すアイコンの表示をグレーアウトしてもよい。
【００７２】
＜動画像コンテンツの再生処理＞
【００７３】
図７のフローチャートを参照して、再生装置１１において実行される動画像コンテンツの再生処理について説明する。
【００７４】
例えば、ユーザが操作部１２に対する操作を行って、所定の動画像コンテンツを再生対象として選択し、再生モードを指定して再生を指示する操作信号が再生装置１１に供給されると、動画像コンテンツの再生処理が開始される。
【００７５】
ステップＳ１１において、操作信号取得部２１は、操作部１２から供給される操作信号を取得して、再生処理部２３に供給する。
【００７６】
ステップＳ１２において、再生処理部２３は、ステップＳ１１で操作信号取得部２１から供給される操作信号に従って、ユーザにより再生対象とされた動画像コンテンツをコンテンツ記録部２２から読み出す。そして、再生処理部２３は、ステップＳ１１で操作信号取得部２１から供給された操作信号で指定されている再生モードで、コンテンツ記録部２２から読み出した動画像コンテンツを再生する処理を行って、表示部１３に表示させる。また、再生処理部２３は、このとき再生した動画像コンテンツに関する再生中コンテンツ情報をユーザインタフェース表示処理部２４に供給する。
【００７７】
ステップＳ１３において、ユーザインタフェース表示処理部２４は、ステップＳ１２で再生処理部２３から供給される再生中コンテンツ情報に基づいて、ユーザインタフェースを表示部１３に表示させる処理を行う。例えば、ユーザインタフェース表示処理部２４は、再生中コンテンツ情報に含まれる動画像コンテンツの再生モードを示す情報に従って、再生画面３１のアイコン表示部４１（図２）に、再生モードアイコンを表示させる。
【００７８】
ステップＳ１４において、再生処理部２３は、ステップＳ１２で再生した動画像コンテンツの再生モードは、２Ｄ再生モード、全天球再生モード、および自由視点再生モードのいずれであるかを判定する。
【００７９】
ステップＳ１４において、再生処理部２３が、動画像コンテンツの再生モードは全天球再生モードであると判定した場合、処理はステップＳ１５に進む。
【００８０】
ステップＳ１５において、操作信号取得部２１は、ユーザにより視線方向を変更する操作が行われた操作信号が操作部１２から供給されると、その操作信号を取得して、再生処理部２３に供給する。
【００８１】
ステップＳ１６において、再生処理部２３は、ステップＳ１５で操作信号取得部２１から供給される操作信号に従って、全天球再生モードで再生している動画像コンテンツにおける視線方向を変更する。そして、再生処理部２３は、視線方向の変更を適用した動画像コンテンツを表示部１３に表示させる。
【００８２】
一方、ステップＳ１４において、再生処理部２３が、動画像コンテンツの再生モードは自由視点再生モードであると判定した場合、処理はステップＳ１７に進む。
【００８３】
ステップＳ１７において、操作信号取得部２１は、ユーザにより視線方向および視点位置を変更する操作が行われた操作信号が操作部１２から供給されると、その操作信号を取得して、再生処理部２３に供給する。
【００８４】
ステップＳ１８において、再生処理部２３は、ステップＳ１７で操作信号取得部２１から供給される操作信号に従って、自由視点再生モードで再生している動画像コンテンツにおける視線方向および視点位置を変更する。そして、再生処理部２３は、視線方向および視点位置の変更を適用した動画像コンテンツを表示部１３に表示させる。
【００８５】
ステップＳ１６またはＳ１８の処理後、処理はステップＳ１９に進む。また、ステップＳ１４において、再生処理部２３が、動画像コンテンツの再生モードは２Ｄ再生モードであると判定した場合にも、処理はステップＳ１９に進む。
【００８６】
ステップＳ１９において、再生処理部２３は、動画像コンテンツの再生を終了するか否かを判定する。例えば、再生処理部２３は、動画像コンテンツが終了時刻まで再生が完了した場合や、ユーザにより再生を停止する操作が行われると、動画像コンテンツの再生を終了すると判定する。
【００８７】
ステップＳ１９において、再生処理部２３が、動画像コンテンツの再生を終了しないと判定した場合、処理はステップＳ１２に戻り、以下、同様の処理が繰り返して行われる。一方、再生処理部２３が、動画像コンテンツの再生を終了すると判定した場合、動画像コンテンツの再生処理は終了される。
【００８８】
以上のように、再生装置１１は、動画像コンテンツの種類および再生モードを、簡易なユーザインタフェースによりユーザに認識させることができる。
【００８９】
なお、再生装置１１は、上述したような２Ｄ動画像コンテンツ、全天球動画像コンテンツ、および自由視点動画像コンテンツの他、例えば、それぞれの動画像コンテンツについて視差を有するものを再生することができる。この場合、再生装置１１は、２Ｄ動画像コンテンツ、全天球動画像コンテンツ、および自由視点動画像コンテンツそれぞれについて、視差の有無を示すアイコン（例えば、３Ｄという文字）を表示してもよい。さらに、再生装置１１は、視差を有する動画像コンテンツを、視差なしで再生することができ、その旨を示す再生アイコンの表示を行うことができる。
【００９０】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。また、プログラムは、１のCPUにより処理されるものであっても良いし、複数のCPUによって分散処理されるものであっても良い。
【００９１】
また、上述した一連の処理（再生方法）は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラムが記録されたプログラム記録媒体からインストールされる。
【００９２】
図８は、上述した一連の処理をプログラムにより実行するコンピュータのハードウエアの構成例を示すブロック図である。
【００９３】
コンピュータにおいて、CPU（Central Processing Unit）１０１，ROM（Read Only Memory）１０２，RAM（Random Access Memory）１０３は、バス１０４により相互に接続されている。
【００９４】
バス１０４には、さらに、入出力インタフェース１０５が接続されている。入出力インタフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、或いは半導体メモリなどのリムーバブルメディア１１１を駆動するドライブ１１０が接続されている。
【００９５】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【００９６】
コンピュータ（CPU１０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア１１１に記録して、あるいは、ローカルエリアネットワーク、インターネット、デジタル衛星放送といった、有線または無線の伝送媒体を介して提供される。
【００９７】
そして、プログラムは、リムーバブルメディア１１１をドライブ１１０に装着することにより、入出力インタフェース１０５を介して、記憶部１０８にインストールすることができる。また、プログラムは、有線または無線の伝送媒体を介して、通信部１０９で受信し、記憶部１０８にインストールすることができる。その他、プログラムは、ROM１０２や記憶部１０８に、あらかじめインストールしておくことができる。
【００９８】
なお、本技術は以下のような構成も取ることができる。
（１）
複数種類の動画像コンテンツを、それぞれの前記動画像コンテンツが対応している再生モードで再生する処理を行う再生処理部と、
再生中の前記動画像コンテンツの種類または再生モードの少なくとも一方を表すユーザインタフェースを表示する処理を行う表示処理部と
を備える再生装置。
（２）
前記表示処理部は、前記動画像コンテンツの種類と再生モードとを同時に表示する
上記（１）に記載の再生装置。
（３）
前記表示処理部は、再生中の前記動画像コンテンツの全長のうちの再生箇所を表すシークバーを利用して、前記動画像コンテンツの種類ごとに、それぞれの種類の再生時間を表示する
上記（１）または（２）に記載の再生装置。
（４）
前記表示処理部は、前記動画像コンテンツの種類ごとに並列的に、それぞれの種類の前記動画像コンテンツに対応する前記シークバーを表示する
上記（３）に記載の再生装置。
（５）
前記シークバーに対するユーザの操作に従って、再生の対象とする前記動画像コンテンツの種類が選択される
上記（４）に記載の再生装置。
（６）
前記表示処理部は、前記再生装置が再生する機能を備えていない種類の前記動画像コンテンツに対応するシークバーをグレーアウトで表示する
上記（４）または（５）に記載の再生装置。
（７）
前記表示処理部は、前記動画像コンテンツの再生を一時停止する操作が行われた場合、前記動画像コンテンツの種類または再生モードを表すユーザインタフェースに対して、一時停止状態を表すユーザインタフェースを表示する
上記（１）から（６）までのいずれかに記載の再生装置。
（８）
前記表示処理部は、ユーザの視線方向または視点位置を表すユーザインタフェースを表示する
上記（１）から（７）までのいずれかに記載の再生装置。
（９）
複数種類の動画像コンテンツを、それぞれの前記動画像コンテンツが対応している再生モードで再生する処理を行い、
再生中の前記動画像コンテンツの種類または再生モードの少なくとも一方を表すユーザインタフェースを表示する処理を行う
ステップを含む再生方法。
（１０）
複数種類の動画像コンテンツを、それぞれの前記動画像コンテンツが対応している再生モードで再生する処理を行い、
再生中の前記動画像コンテンツの種類または再生モードの少なくとも一方を表すユーザインタフェースを表示する処理を行う
ステップを含む再生処理をコンピュータに実行させるプログラム。
【００９９】
なお、本実施の形態は、上述した実施の形態に限定されるものではなく、本開示の要旨を逸脱しない範囲において種々の変更が可能である。
【符号の説明】
【０１００】
１１  再生装置，  １２  操作部，  １３  表示部，  ２１  操作信号取得部，  ２２  コンテンツ記録部，  ２３  再生処理部，  ２４  ユーザインタフェース表示処理部，  ３１  再生画面，  ４１  アイコン表示部，  ４２  シークバー表示部，  ４３  バー，  ４４  スライダ
【図１】
2018066381.tif 000003
【図２】
2018066381.tif 000004
【図３】
2018066381.tif 000005
【図４】
2018066381.tif 000006
【図５】
2018066381.tif 000007
【図６】
2018066381.tif 000008
【図７】
2018066381.tif 000009
【図８】
2018066381.tif 000010
【国際調査報告】
2018066381.tif 000011
2018066381.tif 000012